(57)【特許請求の範囲】
【請求項１】
建物開口部の両側縁に沿って上下方向に設けられた一対のガイドレールに案内されて、前記建物開口部を開閉可能なシャッタ板を備えるスライド式シャッタの補強構造であって、
伸縮自在な棒状に形成され、一端が前記両側縁のうちの一方の側縁の上端に回転可能に支持され、他端が前記一方の側縁の下端に着脱自在であるとともに、他方の側縁の下端又は前記一方の側縁の下端と前記他方の側縁の下端との間の前記建物開口部の下縁に着脱自在な補強体を備え、
前記建物開口部の前記一方の側縁の下端、及び前記建物開口部の前記他方の側縁の下端又は前記一方の側縁の下端と前記他方の側縁の下端との間の前記建物開口部の下縁に挿入孔が設けられており、
前記補強体の他端側におけるシャッタ板と対向する面と反対側の面に、把持可能なハンドルが設けられるとともに、前記補強体の他端に当該挿入孔に挿入可能な挿入部材が揺動自在に固定され、
前記ハンドルを把持して、前記補強体の他端側を持ち上げることにより、前記挿入部材を前記建物開口部の前記一方の側縁の下端に設けられた前記挿入孔から上方に抜き出し、
前記ハンドルを把持したままで、前記挿入部材を水平方向に移動させて、前記建物開口部の前記他方の側縁の下端又は前記一方の側縁の下端と前記他方の側縁の下端との間の前記建物開口部の下縁に設けられた前記挿入孔に、当該挿入部材を挿入することにより、前記シャッタ板を補強することを特徴とするスライド式シャッタの補強構造。
【発明の詳細な説明】
【技術分野】
【０００１】
本発明は、スライド式シャッタの補強構造に関し、詳しくは、スライド式シャッタのスラット板に平行に斜めに配置される補強体によって当該スラット板を補強するスライド式シャッタの補強構造に関する。
【背景技術】
【０００２】
建物開口部を開閉するスライド式シャッタは、上下に連結される複数のスラット板からなるシャッタ板を、建物開口部の両側縁に設置されたガイドレールに案内させて、建物開口部を開閉する構成である（例えば特許文献１）。このようなスライド式シャッタは、強風に煽られるとスラット板がバタついてガイドレールと衝突し騒音を発生し易く、さらにはスラット板が風圧に負けて破損する虞がある。
【０００３】
そこで、これらの問題を解決するために、本願の出願人は、いくつかのシャッタ補強構造を提案している。例えば、特許文献２に記載のスライド式シャッタの補強構造１００は、左右一対のガイドレール１０１ａ，１０１ｂのうち一方のガイドレール１０１ａの上端に一端が回転自在に取り付けられるとともに、他端が開口した中空の長手形状のアウター部材１０２と、アウター部材１０２の内部に挿入されて伸出及び縮退可能に構成されるインナー部材１０３と、インナー部材１０３の先端に回転可能に連結され、他方のガイドレール１０１ｂに案内されて上下にスライドするシャッタ板１０３の下端に着脱可能な連結部材１０４とで構成される補強体１０５により、シャッタ板１０３を補強するものである。
【０００４】
この構成によると、シャッタ板１０３を引き降ろしてスライド式シャッタを閉鎖すると、アウター部材１０２の一端側は一方のガイドレール１０１ａの上端に取り付けられた状態のまま、連結部材１０４はシャッタ板１０３の降下に連動してガイドレール１０１ａ，１０１ｂに沿って下方にスライドする。したがって、補強体１０５は、一方のガイドレール１０１ａの上端から他方のガイドレール１０１ｂの下端に斜め向きに架け渡されるので両ガイドレールの間に配置されているシャッタ板１０３を補強することができる。
【０００５】
また、引用文献３に記載のスライド式シャッタの補強構造２００は、ガイドレール２０１に沿って一対の補強体用レール２０２が設けられており、端部が一対の補強体用レール２０３にそれぞれスライド自在に保持されて、シャッタ板２０４に近接して架設される長手形状の補強体２０５と、補強体２０５の端部をそれぞれ上方から吊り下げて、略水平に所定高さに保持する吊下材２０６と、当該吊下材２０６を巻き取り可能な回転体２０７と、を備えている。そして、このように構成されることにより、回転体２０７が吊下材２０６を巻き取り及び巻き出すことで、吊下材２０６によって自重による下方への落下に抗して上方から吊り上げられている補強体２０５の高さを上げ下げすることができる。したがって、回転体２０７を回転させるだけで、スライド式シャッタを補強させることができるものであるから、例えば大型のスライド式シャッタを補強する場合にも、簡単にスライド式シャッタを補強することができる。
【先行技術文献】
【特許文献】
【０００６】
【特許文献１】特開２００４−１７６２６３号公報
【特許文献２】特許第４４５６１５８号公報
【特許文献３】特許第４６７７５９４号公報
【発明の概要】
【発明が解決しようとする課題】
【０００７】
しかし、スライド式シャッタのシャッタ板を補強するためには補強体が強固である必要があるため、補強体が重くなる。特許文献２のスライド式シャッタの補強構造１００は、シャッタ板１０３の昇降を利用して、補強体１０５を斜めに架け渡した状態から建物開口部の上部で水平に保持した状態に移行させるので、スライド式シャッタが電動の場合は、シャッタ板１０３を巻き付け巻き戻す為のモータにこの補強体１０５の重さが加わり、モータに過剰な負荷が加わるおそれがある。また、スライド式シャッタがシャッタ板１０３を手動で巻き付け巻き戻すものであっても開閉操作の際にこの補強体１０５の重さの分、余分な負担がかかる。
【０００８】
また、特許文献３のスライド式シャッタの補強構造２００では、補強体２０５が吊下材２０６に吊下げられているので、回転体２０７を回転させるために大きな動力が必要になる。
【０００９】
そこで、本発明は、小さな動力で補強体がスライド式シャッタを補強する状態に移行可能なスライド式シャッタの補強構造を提供することを目的とする。
【課題を解決するための手段】
【００１０】
請求項１に記載のスライド式シャッタの補強構造は、建物開口部の両側縁に沿って上下方向に設けられた一対のガイドレールに案内されて、前記建物開口部を開閉可能なシャッタ板を備えるスライド式シャッタの補強構造であって、伸縮自在な棒状に形成され、一端が前記両側縁のうちの一方の側縁の上端に回転可能に支持され、他端が前記一方の側縁の下端に着脱自在であるとともに、他方の側縁の下端又は前記一方の側縁の下端と前記他方の側縁の下端との間の前記建物開口部の下縁に着脱自在な補強体を備え、前記建物開口部の前記一方の側縁の下端、及び前記建物開口部の前記他方の側縁の下端又は前記一方の側縁の下端と前記他方の側縁の下端との間の前記建物開口部の下縁に挿入孔が設けられており、前記補強体の他端側におけるシャッタ板と対向する面と反対側の面に、把持可能なハンドルが設けられるとともに、前記補強体の他端に当該挿入孔に挿入可能な挿入部材が揺動自在に固定され、前記ハンドルを把持して、前記補強体の他端側を持ち上げることにより、前記挿入部材を前記建物開口部の前記一方の側縁の下端に設けられた前記挿入孔から上方に抜き出し、前記ハンドルを把持したままで、前記挿入部材を水平方向に移動させて、前記建物開口部の前記他方の側縁の下端又は前記一方の側縁の下端と前記他方の側縁の下端との間の前記建物開口部の下縁に設けられた前記挿入孔に、当該挿入部材を挿入することにより、前記シャッタ板を補強することを特徴としている。
【発明の効果】
【００１９】
請求項１に記載のスライド式シャッタの補強構造によると、補強体が伸縮自在な棒状に形成されており、補強体の一端が建物開口部の両側縁のうちの一方の側縁の上端に回転可能に支持され、補強体の他端が建物開口部の一方の側縁の下端に着脱自在であるので、スライド式シャッタのシャッタ板を上昇させて、建物開口部を開放する場合のように、補強体がスライド式シャッタのシャッタ板を補強しないときには、補強体の他端を建物開口部の一方の側縁の下端に係着することで、補強体は建物開口部の一方の側縁に沿って立てられることになり、建物開口部の出入りの邪魔にならない。
【００２０】
また、スライド式シャッタのシャッタ板を下降させて、建物開口部を閉鎖する場合のように、補強体がスライド式シャッタのシャッタ板を補強するときには、補強体は、補強体の他端を、建物開口部の他方の側縁の下端又は建物開口部の一方の側縁の下端と他方の側縁の下端との間の当該建物開口部の下縁に係着させることにより、スライド式シャッタのシャッタ板を補強することができる。
【００２１】
このように、補強体の他端を建物開口部の下縁に沿ってほとんど水平方向に移動させるだけで、シャッタ板を補強しない状態からシャッタ板を補強する状態に補強体を移行することができるので、補強体の重量に関わらず、小さな力で補強体がスライド式シャッタを補強する状態に移行することができる。
【００２４】
請求項１に記載のスライド式シャッタの補強構造によると、建物開口部の前記一方の側縁の下端、及び他方の側縁の下端又は一方の側縁の下端と他方の側縁の下端との間の建物開口部の下縁にそれぞれ挿入孔が設けられており、補強体の他端に当該挿入孔に挿入可能な挿入部材が揺動自在に固定されているので、極めて簡単な構成で補強体の他端を建物開口部の一方の側縁の下端、及び他方の側縁の下端又は一方の側縁の下端と他方の側縁の下端との間の建物開口部の下縁に着脱自在に構成することができる。
【図面の簡単な説明】
【００３２】
【図１】第１の実施形態のスライド式シャッタの補強構造において、補強体がシャッタ板を補強していない状態を示す図。
【図２】第１の実施形態のスライド式シャッタの補強構造において、補強体の挿入部材を挿入孔から引き抜いた状態を示す図。
【図３】第１の実施形態のスライド式シャッタの補強構造において、補強体の挿入部材を建物開口部の他方の側縁側に移動させる途中の状態を示す図。
【図４】第１の実施形態のスライド式シャッタの補強構造において、補強体の挿入部材を建物開口部の他方の側縁の下端に設けられた挿入孔に挿入した状態を示す図。
【図５】図１のII−II部分におけるI−I断面図。
【図６】図３のａ部分拡大図。
【図７】図１のｂ部分拡大図
【図８】図４のｃ部分拡大図。
【図９】ハンドルの動きを説明する補強体の一部省略平面図。
【図１０】第２の実施形態のスライド式シャッタの補強構造において、補強体がシャッタ板を補強していない状態を示す図。
【図１１】図１０のｄ部分拡大図。
【図１２】第２の実施形態のスライド式シャッタの補強構造において、補強体のスライド部を建物開口部の他方の側縁側に移動させる途中の状態を示す図。
【図１３】図１２のｅ部分拡大図。
【図１４】第２の実施形態のスライド式シャッタの補強構造において、補強体の挿入部材を建物開口部の他方の側縁の下端に設けられた挿入孔に挿入した状態を示す図。
【図１５】図１４のｆ部分拡大図。
【図１６】筒部内を摺動する挿入部材の動きを説明する図。
【図１７】第２の実施形態の変形例として、建物開口部の両側縁の下端にそれぞれ永電磁石を設けた状態のスライド式シャッタの補強構造において、補強体がシャッタ板を補強していない状態を示す図。
【図１８】第２の実施形態の変形例として、建物開口部の両側縁の下端にそれぞれ永電磁石を設けた状態のスライド式シャッタの補強構造において、補強体がシャッタ板を補強している状態を示す図。
【図１９】第３の実施形態のスライド式シャッタの補強構造において、第１の補強体及び第２の補強体がシャッタ板を補強していない状態を示す図。
【図２０】第３の実施形態のスライド式シャッタの補強構造において、第１の補強体及び第２の補強体がシャッタ板を補強している状態を示す図。
【図２１】第４の実施形態のスライド式シャッタの補強構造において、補強体がシャッタ板を補強していない状態を示す図。
【図２２】第４の実施形態のスライド式シャッタの補強構造において、補強体の移動体を建物開口部の他方の側縁側に移動させる途中の状態を示す図。
【図２３】図２２のｇ部分拡大図。
【図２４】第４の実施形態のスライド式シャッタの補強構造において、補強体がシャッタ板を補強している状態を示す図。
【図２５】第４の実施形態のレール及び移動体の構成を示す断面図。
【図２６】従来のスライド式シャッタの補強構造の一例を示す図。
【図２７】従来のスライド式シャッタの補強構造の別の例を示す図。
【発明を実施するための形態】
【００３３】
〔第１の実施形態〕
以下、本発明の第１の実施形態のスライド式シャッタの補強構造１について、図１から図９を参照しつつ説明する。図１に示すように、スライド式シャッタ４は、建物開口部３の両側縁３ａ，３ｂに沿って上下方向に設けられた一対のガイドレール２に案内されて、建物開口部３を開閉可能なシャッタ板５を備えて構成されている。そしてスライド式シャッタの補強構造１は、伸縮自在な棒状に形成され、一端が建物開口部３の一方の側縁３ａの上端に回転可能に支持され、他端が建物開口部３の一方の側縁３ａの下端、及び他方の側縁３ｂの下端に着脱自在な補強体１０を備えている。
【００３４】
補強体１０は、図４から図６に示すように、内部が中空のアウター部材１１と、このアウター部材１１に挿入可能なインナー部材１２と、建物開口部３の下縁に設けられた挿入孔６に挿入可能な挿入部材１３と、を備えている。アウター部材１１は、一端に建物開口部３の一方の側縁３ａの上端に設けられた支持部７に回転可能に固定されるブラケット１４を備えた筒状である。また、アウター部材１１の他端は開口してインナー部材１２を挿入可能に構成されている。インナー部材１２は、アウター部材１１の内部に挿入できる太さの長手形状に形成されている。インナー部材１２は、一端側からアウター部材１１の内部に抜き出し可能に挿入される。インナー部材１２の他端側の一部はアウター部材１１の内面よりも太く形成されており、インナー部材１２をアウター部材１１に挿入する場合に、インナー部材１２の他端側の一部がアウター部材１１から抜け出ている。
【００３５】
インナー部材１２のシャッタ板５と対向する面と反対側の面には、図９に示すようにハンドル１５が設けられている。ハンドル１５はその基端がインナー部材１２の側面に回動可能に固定されており、図９（Ａ）に示すようにインナー部材１２と平行な状態と図９（Ｂ）に示すようにインナー部材１２から垂直に突出した状態との間で回動可能である。また、インナー部材１２の他端側には、挿入部材１３を揺動可能に固定する連結部１６が形成されている。
【００３６】
アウター部材１１及びインナー部材１２は、例えば炭素繊維やグラスファイバーを用いた繊維強化プラスチック等の軽量且つ高強度の樹脂製のものを用いることができが、その他の金属製、木製、樹脂製などのシャッタ板５を補強することができる強度の種々の材質を用いることができる。挿入部材１３は基端部がインナー部材１２の他端に形成された連結部１６に揺動自在に固定された円柱形状であって、先端部が円錐状に形成されている。
【００３７】
なお、本実施形態においては、アウター部材１１の一端が建物開口部３の一方の側縁３ａの上縁に回転可能に支持され、インナー部材１２の他端に連結部１６が形成される構成であるが、インナー部材１２とアウター部材１１とが逆に設けられていてもよい。すなわち、インナー部材１２の一端が建物開口部３の一方の側縁３ａの上縁に回転可能に支持され、アウター部材１１の他端に連結部１６が構成されていてもよい。このように構成しても補強体１０を伸縮可能に構成することができるからである。補強体１０は伸縮可能であって、スライド式シャッタ４のシャッタ板５を補強することができる構成であればこれらに限定されるものではなく、他の構成であってもよい。
【００３８】
建物開口部３の両側縁３ａ，３ｂの下端には、それぞれ挿入孔６が設けられている。挿入孔６は例えばコンクリート等の建物開口部３の床面に穿孔を設け、挿入部材１３を挿入可能な大きさの有底筒状の受け部６ａを挿入して形成している。なお、受け部６ａは穿孔から引き抜き可能に構成されており、雨水や異物が受け部６ａ内に溜まったときに、簡単に排除することができる。なお、図示の便宜上、各図において挿入孔６が記載されているが、実際には上方にのみ開口して床に埋まっているので、スライド式シャッタの補強構造１の正面図においては見えない。
【００３９】
次に、このスライド式シャッタの補強構造１を用いてスライド式シャッタ４のシャッタ板５を補強する際の動作について説明する。まず、図１に示すように、シャッタ板５をガイドレール２に沿って下降させて、開放していた建物開口部３を閉鎖する。このとき補強体１０は、建物開口部３の一方の側縁３ａに直立した状態で保持されている。補強体１０の挿入部材１３は、図６に示すように建物開口部３の一方の側縁３ａの下端に設けられた挿入孔６に挿入されている。インナー部材１２は、アウター部材１１に大半が挿入されているが、インナー部材１２の一部はアウター部材１１に更に挿入可能な状態である。そして、次に、補強体１０のインナー部材１２に設けられているハンドル１５を図９（Ａ）に示すようにインナー部材１２と平行な状態から図９（Ｂ）に示すようにインナー部材１２から垂直に突出した状態に回動させる。
【００４０】
次に、インナー部材１２から突出するように回動させたハンドル１５を把持して、インナー部材１２を持ち上げる。これにより、図２に示すように、インナー部材１２が上昇して、アウター部材１１の内部にインナー部材１２の一部が更に挿入され、それに伴って挿入部材１３が挿入孔６から上方に抜ける。そしてハンドル１５を把持したままで、図３に示すように、補強体１０の挿入部材１３を建物開口部３の他方の側縁３ｂの下端に設けられた挿入孔６に向かうように移動させる。補強体１０は支持部７を中心に回転する。
【００４１】
補強体１０の挿入部材１３を建物開口部３の他方の側縁３ｂの下端側に移動させると、支持部７との間の距離が長くなるので、補強体１０のアウター部材１１からインナー部材１２が徐々に抜き出されて、補強体１０全体の長さが長くなる。そして、図４及び図８に示すように、挿入部材１３を建物開口部３の他方の側縁３ｂの下端に設けられた挿入孔６に挿入する。このようにすると図４に示すように、建物開口部３に補強体１０が斜めに架け渡される状態になり、スライド式シャッタ４のシャッタ板５を補強することができる。
【００４２】
このように、本実施形態のスライド式シャッタの補強構造１によると、補強体１０の他端を建物開口部３の下縁に沿って大きく上方に持ち上げることなく、水平方向に移動させるだけで、シャッタ板５を補強しない状態からシャッタ板５を補強する状態に補強体１０を移行することができる。したがって、補強体１０の重量に関わらず、小さな力で補強体１０がスライド式シャッタ４を補強する状態に移行することができる。
【００４３】
〔第２の実施形態〕
次に、本発明の第２の実施形態について、図１０から図１６を参照しつつ説明する。なお、第１の実施形態と同様の構成については同一の符号を付して説明を省略する。本実施形態のスライド式シャッタの補強構造１は、第１の実施形態のものと同様に、一端が建物開口部３の一方の側縁３ａの上端に回転可能に支持され、他端が建物開口部３の一方の側縁３ａの下端、及び他方の側縁３ｂの下端に着脱自在な補強体２０を備えている。
【００４４】
補強体２０は、図１０及び図１１に示すように、インナー部材２２と、このインナー部材２２を内部に挿入可能な中空のアウター部材２１と、アウター部材２１の一端に揺動自在に固定されるスライド部２３と、建物開口部３の下縁に設けられた挿入孔６に挿入可能な挿入部材２４と、を備えている。
【００４５】
インナー部材２２は、一端が建物開口部３の一方の側縁３ａの上端に設けられた支持部７に回転可能に固定されるブラケット２５を備えている。また、インナー部材２２の他端側は、アウター部材２１の内部に挿入できる太さの長手形状に形成されている。インナー部材２２は、他端側からアウター部材２１の内部に抜き出し可能に挿入される。インナー部材２２の一端側の一部はアウター部材２１の内面よりも太く形成されており、インナー部材２２をアウター部材２１に挿入する場合に、インナー部材２２の一端側の一部がアウター部材２１から抜け出ている。また、アウター部材２１は、一端が開口してインナー部材２２を挿入可能に構成されている。アウター部材２１の他端は、スライド部２３を揺動自在に固定する連結部２６が形成されている。
【００４６】
スライド部２３は、図１１及び図１６に示すように、アウター部材２１の他端に形成された連結部２６に揺動自在に固定されている。スライド部２３の下部には２つの車輪２３ａが建物開口部３の下縁に沿って移動可能に設けられている。これら２つの車輪２３ａはスライド部２３の進行方向に並んで設けられている。スライド部２３のスライド式シャッタ４のシャッタ板５が設けられる側と反対側には、挿入部材２４を上下方向にスライド自在に保持する筒部２７が設けられている。
【００４７】
筒部２７は円筒状に形成されており、その内周面に突起２７ａが形成されている。一方挿入部材２４は筒部２７に挿入可能な径の円柱形状であって、先端部が円錐状に形成されている。挿入部材２４の外周面には筒部２７の内周面に形成された突起２７ａが収まるガイド溝２８が形成されている。ガイド溝２８は、図１６（Ａ）に示すように、挿入部材２４の先端部が建物開口部３の下縁よりも上にある状態で、挿入部材２４が突起２７ａと当接して下方向にスライドすることを規制する上保持部２８ａと、図１６（Ｂ）に示すように、挿入部材２４が上下にスライド可能な状態にするスライド可能部２８ｂと、図１６（Ｃ）に示すように、挿入部材２４を挿入孔６に挿入した状態で保持する下保持部２８ｃと、を備えている。すなわちガイド溝２８は鉛直方向に延びるスライド可能部２８ｂの下端に水平方向に挿入部材２４の外周に９０度の範囲で延び更にその先端が僅かに上方に膨らむ上保持部２８ａとスライド可能部２８ｂの上端に水平方向に挿入部材２４の外周の９０度の範囲で延びて更にその先端が僅かに上方に膨らむ下保持部２８ｃとを備えている。
【００４８】
次に、本実施形態のスライド式シャッタの補強構造１を用いてスライド式シャッタ４のシャッタ板５を補強する際の動作について説明する。まず、図１０に示すように、シャッタ板５をガイドレール２に沿って下降させて、開放していた建物開口部３を閉鎖する。このとき補強体２０は、建物開口部３の一方の側縁３ａに直立した状態で保持されている。補強体２０の挿入部材２４は、図１１及び図１６（Ｃ）に示すように建物開口部３の一方の側縁３ａの下端に設けられた挿入孔６に挿入されている。
【００４９】
このとき、図１６（Ｃ）に示すように、筒部２７の突起２７ａが、挿入部材２４のガイド溝２８の下保持部２８ｃに位置している。そして、挿入部材２４を僅かに持ち上げて９０度回転させて、図１６（Ｂ）に示すように、突起２７ａがガイド溝２８のスライド可能部２８ｂに位置するように、挿入部材２４を動かす。そして、挿入部材２４を更に持ち上げて突起２７ａをスライド可能部２８ｂの下端に当接させて挿入部材２４を９０度回転させ、突起２７ａを上保持部２８ａに位置させる。これにより挿入部材２４は挿入孔６から上方向に抜き出した状態で保持される。
【００５０】
そして、図１２及び図１３に示すように、スライド部２３を建物開口部３の下縁に沿って移動させる。スライド部２３は車輪２３ａが回転することにより建物開口部３の下縁に沿って移動するので、補強体２０を全く持ち上げることなく補強体２０の端部を建物開口部３の一方の側縁３ａの下端から他方の側縁３ｂの下端に移動させることができる。このとき、補強体２０は支持部７を中心に回転する。図１４に示すように、スライド部２３が建物開口部３の他方の側縁３ｂの下端側に移動すると、支持部７との間の距離が長くなるので、補強体２０のアウター部材２１からインナー部材２２が徐々に抜き出されて、補強体２０全体の長さが長くなる。
【００５１】
そして、図１６に示すように、挿入部材２４を回転させて、突起２７ａをガイド溝２８の上保持部２８ａからスライド可能部２８ｂに相対的に移動させる。そして、挿入部材２４を下方にスライドさせて、挿入部材２４を挿入孔６に挿入しつつ、突起２７ａをガイド溝２８の下端から上端に相対的に移動させ、更に挿入部材２４を回転させて突起２７ａをガイド溝２８の下保持部２８ｃに保持させる。このように、補強体２０の一端は建物開口部３の一方の側縁３ａの上端に固定され、補強体２０の他端は建物開口部３の他方の側縁３ｂの下端に固定されるので、図１４及び図１５に示すように、補強体２０は建物開口部３に斜めに架け渡されることになり、スライド式シャッタ４のシャッタ板５を補強することができる。
【００５２】
このように本実施形態のスライド式シャッタの補強構造１は、車輪２３ａにより補強体２０の他端を建物開口部３の下縁に沿って移動させることができるので、補強体２０を持ち上げることなく、シャッタ板５を補強しない状態からシャッタ板５を補強する状態に補強体２０が移行することができるので、補強体２０の重量に関わらず、小さな力で補強体２０がスライド式シャッタ４を補強する状態に移行することができる。
【００５３】
なお、スライド部２３は特に動力を有するものでなくても人力で一方の側縁３ａの下端から他方の側縁３ｂの下端に簡単に移動させることができるが、例えば図示しないがモータなどの動力手段を有するものであってもよい。このように動力手段により車輪２３ａを駆動させると、自動でシャッタ板５を補強しない状態からシャッタ板５を補強する状態に補強体２０を移行することができる。この場合においても建物開口部３の下縁に沿って水平方向にスライド部２３を移動させればよいので、動力手段は小さな力でよく、大きな動力を生む動力手段は必要なく、スライド式シャッタの補強構造１の設置コストを下げることができる。また、全く補強体２０を持ち上げる必要がないので、電力などの動力手段の動力源が遮断された場合でも安全に手動で補強体２０がシャッタ板５を補強する状態に移行することができる。
【００５４】
また、図１７及び図１８に示すように、建物開口部３の両側縁３ａ，３ｂの下端にそれぞれ永電磁石２９を設けたものであってもよい。この場合、第２の実施形態における筒部２７、挿入部材２４、及び挿入孔６の構成をそれぞれ設ける必要がない。またスライド部２３は磁性を有する金属により構成されている。永電磁石２９は、図示しないが例えば、永久磁石の周囲のコイルの電磁石を巻回したものである。非通電状態では電磁石が消磁され、永久磁石がスライド部２３を吸着するとともに、通電状態では、電磁石が励磁され、永久磁石の磁力と電磁石の磁力とが相殺して、スライド部２３を解放するものである。
【００５５】
図１７に示すように、シャッタ板５を補強していない状態のときには、補強体２０は、建物開口部３の一方の側縁３ａに直立した状態で保持されている。このとき、スライド部２３は建物開口部３の一方の側縁３ａの下端に設けられている永電磁石２９に吸着されて固定されている。そして、シャッタ板５を補強する際には、まず、永電磁石２９に通電して永電磁石２９からスライド部２３を解放し、そのままスライド部２３を建物開口部３の他方の側縁３ｂの下端に向けて建物開口部３の下縁に沿って移動させる。
【００５６】
前述のとおりスライド部２３は車輪２３ａが回転することにより建物開口部３の下縁に沿って移動するので、補強体２０を全く持ち上げることなく補強体２０の端部を建物開口部３の一方の側縁３ａの下端から他方の側縁３ｂの下端に移動させることができる。そして、図１８に示すように、スライド部２３が建物開口部３の他方の側縁３ｂの下端側に移動すると、支持部７との間の距離が長くなるので、補強体２０のアウター部材２１からインナー部材２２が徐々に抜き出されて、補強体２０全体の長さが長くなる。そして、建物開口部３の他方の側縁３ｂの下端に設けられた永電磁石２９にスライド部２３が吸着されて固定される。このように、非通電状態で補強体２０の他端が保持されるので、停電などの電力が遮断された状態でもスライド式シャッタ４のシャッタ板５を補強体２０が確実に補強し続けることができる。
【００５７】
〔第３の実施形態〕
次に、本発明の第３の実施形態のスライド式シャッタの補強構造１について、図１９及び図２０を参照しつつ説明する。なお、各補強体３０ａ，３０ｂを構成する各部は第１の実施形態と同様の構成であるので、同一の符号を付して説明を省略する。図１９に示すように、本実施形態のスライド式シャッタの補強構造１は、２本の補強体３０ａ，３０ｂを備えて構成されている。すなわち、スライド式シャッタの補強構造１は、伸縮自在な棒状に形成され、一端が建物開口部３の一方の側縁３ａの上端に回転可能に支持され、他端が建物開口部３の一方の側縁３ａの下端、及び建物開口部３の一方の側縁３ａの下端と他方の側縁３ｂの下端との間に着脱自在な第１の補強体３０ａと、第１の補強体３０ａと同様の構成であって、一端が建物開口部３の他方の側縁３ｂの上端に回転可能に支持され、他端が建物開口部３の一方の側縁３ａの下端、及び建物開口部３の一方の側縁３ａの下端と他方の側縁３ｂの下端との間に着脱自在な第２の補強体３０ｂと、を備えている。建物開口部３の一方の側縁３ａの下端及び他方の側縁３ｂの下端には挿入孔６が設けられており、建物開口部３の両側縁３ａ，３ｂの間の建物開口部３の下縁中央付近にも２つの挿入孔６が並んで設けられている。
【００５８】
そしてこのスライド式シャッタの補強構造１を用いてスライド式シャッタ４のシャッタ板５を補強する際には、まず、図１９に示すように、シャッタ板５をガイドレール２に沿って下降させて、開放していた建物開口部３を閉鎖する。このとき第１の補強体３０ａは、建物開口部３の一方の側縁３ａに直立した状態で保持され、第２の補強体３０ｂは、建物開口部３の他方の側縁３ｂに直立した状態で保持される。そして、次に、第１の補強体３０ａ及び第２の補強体３０ｂのインナー部材１２に設けられているハンドル１５を図９（Ａ）に示すようにインナー部材１２と平行な状態から図９（Ｂ）に示すようにインナー部材１２から垂直に突出した状態に回動させる。
【００５９】
そしてハンドル１５を把持して、まず第１の補強体３０ａのインナー部材１２を持ち上げる。これにより、インナー部材１２が上昇して、アウター部材１１の内部にインナー部材１２の一部が更に挿入され、それに伴って挿入部材１３が挿入孔６から上方に抜ける。そしてハンドル１５を把持したままで、図２０に示すように、第１の補強体３０ａの挿入部材１３を建物開口部３の一方の側縁３ａの下端と他方の側縁３ｂの下端の間に設けられている挿入孔６に第１の補強体３０ａの挿入部材１３を挿入する。同様に、図１９に示すように、第２の補強体３０ｂのインナー部材１２を持ち上げる。これにより、インナー部材１２が上昇して、アウター部材１１の内部にインナー部材１２の一部が更に挿入され、それに伴って挿入部材１３が挿入孔６から上方に抜ける。そしてハンドル１５を把持したままで、図２０に示すように、第２の補強体３０ｂの挿入部材１３を建物開口部３の一方の側縁３ａの下端と他方の側縁３ｂの下端の間に設けられている挿入孔６に第２の補強体３０ｂの挿入部材１３を挿入する。
【００６０】
このようにすると、第１の補強体３０ａの一端が建物開口部３の一方の側縁３ａの上端に固定され、第２の補強体３０ｂの一端が建物開口部３の他方の側縁３ｂの上端に固定され、第１の補強体３０ａの他端及び第２の補強体３０ｂの他端は建物開口部３の下縁の中央付近に係着される。したがって、第１の補強体３０ａと第２の補強体３０ｂとでＶ字となるように配置され、スライド式シャッタ４のシャッタ板５を補強することができる。これにより、建物開口部３の幅が広い場合のように、一本の補強体ではその伸縮できる上限を超えるために適切にスライド式シャッタ４のシャッタ板５を補強することができない場合や、一本の補強体で補強した場合には補強体の両端に加わる負荷が大きくなりすぎる場合にも２本の補強体３０ａ，３０ｂをＶ字に配置することで、スライド式シャッタ４のシャッタ板５を適切に補強することができる。
【００６１】
〔第４の実施形態〕
次に、本発明の第４の実施形態のスライド式シャッタの補強構造１について、図２１から図２５を参照しつつ説明する。なお、上述の第１の実施形態から第３の実施形態と同様の構成については同一の符号を付して説明を省略する。本実施形態のスライド式シャッタの補強構造１は、建物開口部３の上縁に沿って設けられるレール４３と、伸縮自在な棒状に形成され、一端が前記レール４３にスライド可能に支持されるとともに、他端が前記両側縁３ａ，３ｂのうち一方の側縁３ａの下端に回転可能に支持される補強体４０とを備えている。
【００６２】
補強体４０は、レール４３に沿って駆動可能な車輪４４ａを有する移動部４４と、一端が移動部４４に揺動自在に固定され内部が中空のアウター部材４１と、このアウター部材４１に一端側が挿入可能に形成され、他端が建物開口部３の一方の側縁３ａの下端に回動可能に固定されるインナー部材４２と、を備えている。アウター部材４１は、一端に移動部４４に対して揺動自在に固定される揺動部４５を有する筒状に形成されており、他端は開口してインナー部材４２を挿入可能に構成されている。インナー部材４２は、アウター部材４１の内部に挿入できる太さの長手形状に形成されている。インナー部材４２は、一端側からアウター部材４１の内部に抜き出し可能に挿入される。インナー部材４２の他端側の一部はアウター部材４１の内面よりも太く形成されており、インナー部材４２をアウター部材４１に挿入する場合に、インナー部材４２の他端側の一部がアウター部材４１から抜け出ている。インナー部材４２の他端には建物開口部３の一方の側縁３ａに設けられた支持部７に回転可能に支持されるブラケット４６が形成されれている。
【００６３】
レール４３は、図２５に示すように、下方向に開口するように配置されたリップ溝形鋼である。移動部４４は移動方向の前後にそれぞれ２づつの４つの車輪４４ａを有しており、それぞれがレール４３のリップ部分４３ａに配置されている。そして、移動部４４にはこれらの車輪４４ａを駆動する動力手段としてのモーター４７が固定されている。移動部４４の車輪４４ａの間には、レール４３の開口から下側に垂れ下る垂れ部４８が設けられており、この垂れ部４８がアウター部材４１の一端に形成された揺動部４５を回動自在に支持している。
【００６４】
レール４３の両端、すなわち建物開口部３の両側縁３ａ，３ｂのそれぞれの上端には移動部４４を着脱自在に固定する固定手段として永電磁石４９が設けられている。移動部４４は磁性を有する金属で形成されており、非通電状態の永電磁石４９に吸着して固定される。
【００６５】
本実施形態のスライド式シャッタの補強構造１を用いてスライド式シャッタ４のシャッタ板５を補強する際には、まず、図２１に示すように、シャッタ板５をガイドレール２に沿って下降させて、開放していた建物開口部３を閉鎖する。このとき補強体４０は、建物開口部３の一方の側縁３ａに直立した状態で保持されている。補強体４０の移動部４４は建物開口部３の一方の側縁３ａの上端に設けられた永電磁石４９に吸着し固定されている。そして、次に、この永電磁石４９に通電して移動部４４を解放するとともに、移動部４４のモーター４７を駆動し、図２２に示すように、移動部４４をレール４３に沿って移動させる。図２４に示すように、移動部４４をレール４３他端側までに移動させると、建物開口部３の一方の側縁３ａの下端に設けられている支持部７との間の距離が長くなるので、補強体４０のアウター部材４１からインナー部材４２が徐々に抜き出されて、補強体４０全体の長さが長くなる。そして、移動部４４がレール４３他端側に設けられている永電磁石４９に吸着されて固定される。
【００６６】
このように建物開口部３の上縁に沿って水平方向に設けられているレール４３に沿って移動部４４が移動するだけで、シャッタ板５を補強しない状態からシャッタ板５を補強する状態に補強体４０を移行することができるので、補強体４０の重量に関わらず、小さな力で補強体４０がスライド式シャッタ４を補強する状態に移行することができる。また動力手段としてモーター４７を設けることで、自動でシャッタ板５を補強しない状態からシャッタ板５を補強する状態に補強体４０を移行することができる。この場合に移動部４４は前述のように建物開口部３の上縁に沿って設けられたレール４３にしたがって水平方向に移動するので、鉛直方向に移動させるものに比べて、動力手段は小さな力でよく、スライド式シャッタの補強構造１の設置コストを下げることができる。
【００６７】
また、レール４３の一端及び他端に補強体４０の他端を保持可能な永電磁石４９が設けられているので、非通電状態で補強体４０の他端が保持されるので、停電などの電力が遮断された状態でもスライド式シャッタ４のシャッタ板５を補強体４０が確実に補強し続けることができる。
【００６８】
なお、本発明の実施の形態は上述の各形態に限ることなく、本発明の思想の範囲を逸脱しない範囲で適宜変更することができることは云うまでもない。
【産業上の利用可能性】
【００６９】
本発明に係るスライド式シャッタの補強構造１は建物開口部３に設けられるスライド式シャッタ４のシャッタ板５を補強するスライド式シャッタの補強構造１として好適に用いることができる。
【符号の説明】
【００７０】
１      スライド式シャッタの補強構造
２      ガイドレール
３      建物開口部
３ａ    一方の側縁
３ｂ    他方の側縁
４      スライド式シャッタ
５      シャッタ板
６      挿入孔
１０，２０，４０    補強体
１３，２４    挿入部材
２９，４９    永電磁石
３０ａ    第１の補強体
３０ｂ    第２の補強体
４７    モーター（動力手段）
【図１】
0005489044.tif 000002
【図２】
0005489044.tif 000003
【図３】
0005489044.tif 000004
【図４】
0005489044.tif 000005
【図５】
0005489044.tif 000006
【図６】
0005489044.tif 000007
【図７】
0005489044.tif 000008
【図８】
0005489044.tif 000009
【図９】
0005489044.tif 000010
【図１０】
0005489044.tif 000011
【図１１】
0005489044.tif 000012
【図１２】
0005489044.tif 000013
【図１３】
0005489044.tif 000014
【図１４】
0005489044.tif 000015
【図１５】
0005489044.tif 000016
【図１６】
0005489044.tif 000017
【図１７】
0005489044.tif 000018
【図１８】
0005489044.tif 000019
【図１９】
0005489044.tif 000020
【図２０】
0005489044.tif 000021
【図２１】
0005489044.tif 000022
【図２２】
0005489044.tif 000023
【図２３】
0005489044.tif 000024
【図２４】
0005489044.tif 000025
【図２５】
0005489044.tif 000026
【図２６】
0005489044.tif 000027
【図２７】
0005489044.tif 000028